(57)【要約】【課題】回転軸が回転する際に摩損が発生することを防ぎ、回転軸の回転の円滑性が向上する上、回転軸の使用寿命を延ばし、実用性を高めることができる電動ベッド構造を提供する。【解決手段】電動ベッド構造は、ベッドフレーム１、動力源２及びリフトオフユニット３を備える。ベッドフレーム１は、台座１１を含む。台座１１の上端には、固定ボトム１２が固設される。固定ボトム１２の一端には、背部ボトム１３が枢着される。背部ボトム１３の底端には、互いに対をなす２つの当接スライドレール１３１が設けられる。動力源２は、ベッドフレーム１の底端に配置される。動力源２は、ベッドフレーム１の背部ボトム１３に対応した一端に設けられた背部出力端２１を有する。リフトオフユニット３は、動力源２の背部出力端２１に設けられた回転軸３１を有する。回転軸３１の両端には、緩衝クッションが嵌合される。【選択図】図２
0003201759.tif 000002
【実用新案登録請求の範囲】
【請求項１】
ベッドフレーム、動力源及びリフトオフユニットを備えた電動ベッド構造であって、
前記ベッドフレームは、台座を含み、前記台座の上端には、固定ボトムが固設され、前記固定ボトムの一端には、背部ボトムが枢着され、前記背部ボトムの底端には、互いに対をなす２つの当接スライドレールが設けられ、
前記動力源は、前記ベッドフレームの底端に配置され、前記動力源は、前記ベッドフレームの前記背部ボトムに対応した一端に設けられた背部出力端を有し、
前記リフトオフユニットは、前記動力源の前記背部出力端に設けられた回転軸を有し、前記回転軸の両端には、緩衝クッションが嵌合され、前記ベッドフレームの前記台座には、前記回転軸の両端に対応するように収納槽が形成され、前記収納槽中に前記回転軸の前記緩衝クッションが収容され、前記回転軸上には、前記ベッドフレームの前記背部ボトムの前記当接スライドレールに対応するように支持杆が設けられ、前記支持杆には、前記当接スライドレールに接触される支持ローラが枢着されることを特徴とする、
電動ベッド構造。
【請求項２】
前記ベッドフレームの前記固定ボトムの他端には、足部ボトムが枢着され、前記足部ボトムの底端には、互いに対をなす２つの当接スライドレールが設けられ、前記動力源は、前記ベッドフレームの前記足部ボトムに対応した一端に設けられた足部出力端を有し、前記リフトオフユニットは、前記動力源の前記足部出力端に設けられた回転軸を有し、前記回転軸の両端には、前記緩衝クッションが嵌合され、前記ベッドフレームの前記台座には、前記回転軸の両端に対応するように前記収納槽が形成され、前記収納槽中には、前記回転軸の前記緩衝クッションが収容され、前記回転軸上には、前記ベッドフレームの前記足部ボトムの前記当接スライドレールに対応するように支持杆が設けられ、前記支持杆には、前記当接スライドレールに接触される支持ローラが枢着されることを特徴とする請求項１に記載の電動ベッド構造。
【請求項３】
前記リフトオフユニットの前記収納槽の開口端には、位置決め部材が配置され、前記位置決め部材は、前記回転軸の前記緩衝クッションを位置決めし、前記収納槽から前記緩衝クッションが外れることを防ぐことを特徴とする請求項１又は２に記載の電動ベッド構造。
【考案の詳細な説明】
【技術分野】
【０００１】
本考案は、電動ベッド構造に関し、特に、回転軸が回転する際に摩損が発生することを防ぐとともに、回転軸の回転の円滑性を向上し、回転軸の使用寿命を延ばして実用性を高める電動ベッド構造に関する。
【背景技術】
【０００２】
老人、身体が不自由な者、重病人などの患者は、長期間ベッドに横たわっており、座位姿勢にしたり体位変換したりすることは容易でなかった。そのため、従来の医療用ベッドは、患者に食べ物を食べさせたり薬を飲ませたり、患者が読書したりすることが容易になるように、患者の上半身をベッド上で起こして座位の姿勢がとれるように、複数のボトムにより構成され、ボトムのリクライニング角度を調整することにより、医療用ベッドを利用する患者が様々な姿勢がとれるようにしていた。
【０００３】
２０１４年４月２１日に公告された特許文献１「電動ベッド背部調整構造」は、ベッドフレームを含む電動ベッド背部調整構造であって、ベッドフレームには、背部ボトムが枢着され、背部ボトムとベッドフレームとの間にはリフトオフ機構が配設され、リフトオフ機構は、伸縮動力源を含み、伸縮動力源の一端は、ベッドフレームに枢着され、伸縮動力源の出力軸の端部は、回転軸の接続部に枢着され、回転軸の両端は、ベッドフレームに接続され、回転軸は、支持杆に接続され、支持杆には、ローラが配設され、背部ボトムには、支持杆に対応した箇所にガイドレールが設けられ、支持杆上のローラがガイドレール上に対応して当接される。
【０００４】
しかし上述した「電動ベッド背部調整構造」は、背部ボトムのリクライニング角度を調整することができるが、実際に使用すると分かるように、リフトオフ機構の回転軸の両端がベッドフレームに直接接続されているため、回転軸を長期間使用すると、回転軸とベッドフレームとの間に摩損が発生して回転軸の回転の円滑性が下がり、背部ボトムのリクライニング角度を調整することが困難となり、最悪の場合、リクライニング角度を調整することが全くできなくなる虞があり、依然として改善の余地があった。
【先行技術文献】
【特許文献】
【０００５】
【特許文献１】台湾実用新案登録第Ｍ４７６５９１号公報
【考案の概要】
【考案が解決しようとする課題】
【０００６】
本考案の目的は、回転軸が回転する際に摩損が発生することを防ぎ、回転軸の回転の円滑性を向上させて回転軸の使用寿命を延ばして実用性を高めることができる電動ベッド構造を提供することにある。
【課題を解決するための手段】
【０００７】
上記課題を解決するための本考案の第１の形態によれば、ベッドフレーム、動力源及びリフトオフユニットを備えた電動ベッド構造であって、前記ベッドフレームは、台座を含み、前記台座の上端には、固定ボトムが固設され、前記固定ボトムの一端には、背部ボトムが枢着され、前記背部ボトムの底端には、互いに対をなす２つの当接スライドレールが設けられ、前記動力源は、前記ベッドフレームの底端に配置され、前記動力源は、前記ベッドフレームの前記背部ボトムに対応した一端に設けられた背部出力端を有し、前記リフトオフユニットは、前記動力源の前記背部出力端に設けられた回転軸を有し、前記回転軸の両端には、緩衝クッションが嵌合され、前記ベッドフレームの前記台座には、前記回転軸の両端に対応するように収納槽が形成され、前記収納槽中に前記回転軸の前記緩衝クッションが収容され、前記回転軸上には、前記ベッドフレームの前記背部ボトムの前記当接スライドレールに対応するように支持杆が設けられ、前記支持杆には、前記当接スライドレールに接触される支持ローラが枢着されることを特徴とする電動ベッド構造が提供される。
【０００８】
前記ベッドフレームの前記固定ボトムの他端には、足部ボトムが枢着され、前記足部ボトムの底端には、互いに対をなす２つの当接スライドレールが設けられ、前記動力源は、前記ベッドフレームの前記足部ボトムに対応した一端に設けられた足部出力端を有し、前記リフトオフユニットは、前記動力源の前記足部出力端に設けられた回転軸を有し、前記回転軸の両端には、前記緩衝クッションが嵌合され、前記ベッドフレームの前記台座には、前記回転軸の両端に対応するように前記収納槽が形成され、前記収納槽中には、前記回転軸の前記緩衝クッションが収容され、前記回転軸上には、前記ベッドフレームの前記足部ボトムの前記当接スライドレールに対応するように支持杆が設けられ、前記支持杆には、前記当接スライドレールに接触される支持ローラが枢着されることが好ましい。
【０００９】
前記リフトオフユニットの前記収納槽の開口端には、位置決め部材が配置され、前記位置決め部材は、前記回転軸の前記緩衝クッションを位置決めし、前記収納槽から前記緩衝クッションが外れることを防ぐことが好ましい。
【考案の効果】
【００１０】
本考案の電動ベッド構造は、回転軸が回転する際に摩損が発生することを防ぎ、回転軸の回転の円滑性が向上する上、回転軸の使用寿命を延ばし、実用性を高めることができる。
【図面の簡単な説明】
【００１１】
【図１】本考案の一実施形態に係る電動ベッド構造を示す斜視図である。
【図２】本考案の一実施形態に係る電動ベッド構造を示す部分拡大図である。
【図３】本考案の一実施形態に係る電動ベッド構造を示す部分拡大図である。
【図４】本考案の一実施形態に係る電動ベッド構造の第１の使用状態を示す斜視図である。
【図５】本考案の一実施形態に係る電動ベッド構造の第１の使用状態を示す側面図である。
【図６】本考案の一実施形態に係る電動ベッド構造の第２の使用状態を示す斜視図である。
【図７】本考案の一実施形態に係る電動ベッド構造の第２の使用状態を示す側面図である。
【考案を実施するための形態】
【００１２】
以下、本考案の実施形態について図に基づいて説明する。なお、これによって本考案が限定されるものではない。
【００１３】
図１〜図３を参照する。図１は、本考案の一実施形態に係る電動ベッド構造を示す斜視図である。図２は、本考案の一実施形態に係る電動ベッド構造を示す部分拡大図である。図３は、本考案の一実施形態に係る電動ベッド構造を示す部分拡大図である。
図１〜図３に示すように、本考案の一実施形態に係る電動ベッド構造は、ベッドフレーム１、動力源２及びリフトオフユニット３から構成されてなる。
【００１４】
ベッドフレーム１は、台座１１を含む。台座１１の上端には、固定ボトム１２が固設される。固定ボトム１２の一端には、背部ボトム１３が枢着される。背部ボトム１３の底端には、互いに対をなす２つの当接スライドレール１３１が設けられる。固定ボトム１２の他端には、足部ボトム１４が枢着される。足部ボトム１４の底端には、互いに対をなす２つの当接スライドレール１４１が設けられる。足部ボトム１４には、補助足部ボトム１５が枢着される。補助足部ボトム１５の底端には、連杆１５１が枢着される。連杆１５１の他端には、ベッドフレーム１が枢着される。
【００１５】
動力源２は、ベッドフレーム１の底端に配置される。動力源２は、ベッドフレーム１の背部ボトム１３に対応した一端に設けられた背部出力端２１と、ベッドフレーム１の足部ボトム１４に対応した一端に設けられた足部出力端２２と、を有する。
【００１６】
リフトオフユニット３は、動力源２の背部出力端２１及び足部出力端２２にそれぞれ設けられた回転軸３１を有する。回転軸３１の両端には、緩衝クッション３１１が嵌合される。ベッドフレーム１の台座１１には、回転軸３１の両端に対応するように収納槽３２が形成され、収納槽３２中に回転軸３１の緩衝クッション３１１が収容され、収納槽３２の開口端には、位置決め部材３２１が配置される。位置決め部材３２１は、回転軸３１の緩衝クッション３１１を位置決めし、収納槽３２から緩衝クッション３１１が外れることを防ぐ。
回転軸３１上には、ベッドフレーム１の背部ボトム１３及び足部ボトム１４の当接スライドレール１３１，１４１に対応するように支持杆３３が設けられる。支持杆３３には、当接スライドレール１３１，１４１に接触される支持ローラ３３１が枢着される。
【００１７】
図４及び図５を参照する。図４は、本考案の一実施形態に係る電動ベッド構造の第１の使用状態を示す斜視図である。図５は、本考案の一実施形態に係る電動ベッド構造の第１の使用状態を示す側面図である。
図４及び図５に示すように、ベッドフレーム１の背部ボトム１３のリクライニング角度を調整する際、動力源２の背部出力端２１によりリフトオフユニット３の回転軸３１を回転させる。回転軸３１が回転すると、それに伴い支持杆３３も回転し、支持杆３３上に枢着された支持ローラ３３１は、背部ボトム１３の当接スライドレール１３１で摺動し、支持杆３３の支持ローラ３３１により当接スライドレール１３１を支えて背部ボトム１３のリクライニング角度を調整する。
【００１８】
図６及び図７を参照する。図６は、本考案の一実施形態に係る電動ベッド構造の第２の使用状態を示す斜視図である。図７は、本考案の一実施形態に係る電動ベッド構造の第２の使用状態を示す側面図である。
ベッドフレーム１の足部ボトム１４のリクライニング角度を調整する場合、動力源２の足部出力端２２によりリフトオフユニット３の回転軸３１を回転させ、回転軸３１が回転すると、それに伴い支持杆３３も回転し、支持杆３３に枢着された支持ローラ３３１は、足部ボトム１４の当接スライドレール１４１で摺動され、支持杆３３の支持ローラ３３１により当接スライドレール１４１を支え、足部ボトム１４が支えられてリクライニング角度が調整される。足部ボトム１４は、リクライニング角度を調整するために用い、足部ボトム１４には補助足部ボトム１５が枢着される。補助足部ボトム１５が足部ボトム１４のリクライニング角度に応じて上昇すると、補助足部ボトム１５が連杆１５１により支えられ、足部ボトム１４のリクライニング角度を調整することができる。
【００１９】
上述したことから分るように、本考案の電動ベッド構造は、従来の構造と比べ、リフトオフユニットの回転軸の両端に緩衝クッションが嵌合され、ベッドフレームの台座には、回転軸両端に対応するように収納槽が形成され、収納槽中に回転軸の緩衝クッションが収容され、回転軸が回転する際に緩衝クッションにより摩損の発生を防ぎ、回転軸の回転の円滑性が向上する上、回転軸の使用寿命を延ばし、実用性を高める。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１      ベッドフレーム
２      動力源
３      リフトオフユニット
１１    台座
１２    固定ボトム
１３    背部ボトム
１４    足部ボトム
１５    補助足部ボトム
２１    背部出力端
２２    足部出力端
３１    回転軸
３２    収納槽
３３    支持杆
１３１  当接スライドレール
１４１  当接スライドレール
１５１  連杆
３１１  緩衝クッション
３２１  位置決め部材
３３１  支持ローラ
【図１】
0003201759.tif 000003
【図２】
0003201759.tif 000004
【図３】
0003201759.tif 000005
【図４】
0003201759.tif 000006
【図５】
0003201759.tif 000007
【図６】
0003201759.tif 000008
【図７】
0003201759.tif 000009